(57)【要約】      （修正有）【課題】様々な材料から成る発音体から楽音を発することを可能にし、且つ操作作性と演奏性と表現力を向上させた旋律打楽器の片持ち梁状の発音体を提供する。【解決手段】旋律打楽器の平たい片持ち梁状の発音体１６ａに貫通したスリット状の穴２３によって主鍵２６を形成している。主鍵２６の先端部の指し示す先は発音体１６ａの基端部を向いている。【効果】このような発音体１６ａにおいて打奏の際は、発音体１６ａの先端部、または、主鍵２６を打鍵することにより、明瞭な楽音を得ることができる。また、発音体１６ａの先端部を摘奏できることに加え、発音体１６ａの先端部短手端面を弦楽器の弓で擦奏することも可能である。【選択図】図１
2016057413.tif 000002
【特許請求の範囲】
【請求項１】
片持ち梁状の発音体に、更に片持ち梁状の発音体である主鍵を設ける。前記主鍵の固定端は前記発音体に設けられており、前記主鍵の先端部の指し示す先が前記発音体の基端部の方を向いていることを特徴とする旋律打楽器の発音体。
【請求項２】
前記主鍵の固定端は締結部材によって前記発音体に取付けられている請求項１に記載する旋律打楽器の発音体。
【請求項３】
前記主鍵は前記発音体に、貫通したスリット状の穴によって形成する請求項１に記載の旋律打楽器の発音体。
【請求項４】
請求項１から請求項３に記載の発音体の主鍵の内側に、貫通したスリット状の穴によって片持ち梁状の副鍵を形成する。前記副鍵の固定端は前記主鍵に設けられている。前記副鍵の先端部は前記発音体の先端部を向いており、また、前記副鍵は前記発主鍵の基端部側からはみ出すように設けても良いが、少なくとも前記副鍵の基端部が前記主鍵の内側にあることを特徴とする。
【請求項５】
前記主鍵、または前記副鍵の少なくともどちらか一方が前記発音体の表面より隆起していることを特徴とする請求項１から４に記載の旋律打楽器の発音体。
【請求項６】
請求項１から請求項５に記載の発音体を備えたことを特徴とする旋律打楽器
【請求項７】
請求項６に記載の旋律打楽器の余韻を制御するための止音機構を設けたことを特徴とする旋律打楽器。
【請求項８】
請求項６と請求項７に記載の旋律打楽器がタングドラムであることを特徴とする。
【請求項９】
請求項６と請求項７に記載の旋律打楽器がカリンバであることを特徴とする。
【発明の詳細な説明】
【技術分野】
【０００１】
本発明は旋律打楽器に係り、特に片持ち梁状の発音体を有する旋律打楽器に利用できるものである。
【背景技術】
【０００２】
片持ち梁状の発音体を有する旋律打楽器はタングドラムとカリンバがある。
【０００３】
図１３に示す従来のカリンバは、楽器の分類上では、ラメラフォーンが総称だが、ムビラ、リケンベ、またはサンサなどの別称もある。カリンバは主に金属でできた発音体１６ｊを、共鳴胴１８である木の板や箱に、押さえ１２と、ブリッジ１４によってかしめられ片持ち梁状に固定されている。奏法は主に指先で発音体を弾く摘奏である。発音体の大きさは指先で弾いた際に十分な振動を得られるように薄く小さく作られており、発せられる音が小さい。
【０００４】
スリットドラムの一種であるタングドラムは木製が主流である。一般に木箱などの空洞体の平らな打面に貫通したスリット状の穴をもって、片持ち梁状の発音体を形成している。この片持ち梁状の発音体が舌に見えることからタングドラムと呼ばれている。尚、従来のタングドラムには木箱などの空洞体に締結部材によって、木製の矩形板状の発音体の一端を締結部材によって片持ち梁状に固定した非特許文献１に示すタングドラムも在る。また、木製のタングドラムだけはなく、非特許文献２に示す金属製のタングドラムや、非特許文献３に示すセラミックスから成るタングドラムも在る。
【０００５】
従来のセラミックス製、または金属製のタングドラムである非特許文献２と非特許文献３は、木製のタングドラム同様に、空洞体の平らな打面に貫通したスリット状の穴をもって複数の片持ち梁状の発音体である鍵を形成している。これらは楽音を発するのが困難で主に様々な倍音を含んだ噪音を発する。噪音を発する原因は一般に木材や樹脂に比べ、金属やセラミックスは固有音響抵抗値が高いため、打面全体が撓みやすく、余韻が長く、一つの鍵を打鍵すると全ての鍵と打面全体が共振共鳴して音が混ざってしまうためと考えられる。このような楽音を発することが困難なタングドラムの材料としては金属とセラミックスに限らず、同じく木材に比べ固有音響抵抗値の高い繊維強化樹脂やガラスなどから成るタングドラムなども楽音を発することが困難である。
【０００６】
この問題を解決したのが２００７年に考案された非特許文献４に示すハンクドラム、または、タンクドラムと呼ばれる金属製のタングドラムの一種である。楽音の発音を可能にするために考え出された形状は、プロパンガスのタンクなどの空洞体の曲面に、貫通したスリット状の穴により片持ち梁状の鍵を設ける。複数の鍵を設けるときは、鍵同士が直接隣り合わないこと、つまり各鍵を形成している貫通したスリット状の穴が繋がらないようにすることで、打面全体の強度が上がり撓み難くなり、打鍵されていない鍵に伝わる振動を抑制でき、各鍵を特定の音高に調律することが可能になっている。
【先行技術文献】
【非特許文献】
【０００７】
【非特許文献１】表題：Vintage tongue drum 、 掲載年月日：２００６年  １０月２７日、掲載者：thgips、検索年月日：２０１４年２月２５日、インターネットＵＲＬ：<m.youtube.com/watch?v=ha86pMKGG6I>
【非特許文献２】表題：ちひろ美術館シデロイホス、[online]、掲載者：shigatsu2006、検索年月日：２０１４年２月２５日、インターネットＵＲＬ：<http://www.youtube.com/watch?v=qfZewlyKoso>
【非特許文献３】表題：太古の響き、[online]、掲載者：龍音工房、検索年月日：２０１４年２月２５日、インターネットＵＲＬ：<www.taikonohibiki.com>
【非特許文献４】表題：Web-page of Dennis Havlena、掲載者：Dennis Havlena、検索年月日：２０１４年２月２５日、インターネットＵＲＬ：<dennishavlena.com>
【発明の概要】
【発明が解決しようとする課題】
【０００８】
上記した図１に示す従来のカリンバは発音体１６ｊの厚みが２ｍｍ、幅は１ｃｍ以下のものが多く小さいため、音量が小さいという問題があった。しかし、この問題を解決するために発音体を大きくしたり、発音体の材料をより音響抵抗値の高い材料に変更するなどして強度をあげると、押さえ１２とブリッジ１４と共鳴胴１８の天板の強度も上げなければ発音体が上手く振動せず、共鳴胴を直接叩いているかのようなアタック音しかしない。なので発音体の強化しようとするとカリンバの重量と大きさが増し、長所でもある携帯性が損なわれてしまう。また、強度の上がった片持ち梁状の発音体を摘奏するのは指先に痛みを伴い、十分に振動させることが困難なため演奏性が低下してしまう。
【０００９】
また、従来のカリンバの発音体は薄く小さいので打鍵すると破損しやすく、奏法は主に摘奏のみに限られ演奏が単調になりやすいなどの問題があった。
【００１０】
上記した金属、またはセラミックスなどの、木材に比べ固有音響抵抗値の高い材料から成るタングドラムは独特の噪音と音色により即興演奏には向いているが、木製のタングドラムのように楽音を発することが困難なため、メロディーとハーモニーのある楽曲を演奏するのには不向きであった。また、タングドラムは主に打奏のみに限られ演奏が単調になりやすかった。
【００１１】
また、ハンクドラムはその独自の構造により、木材に比べ弾性率と固有音響抵抗が高い金属から成る片持ち梁状の発音体から明瞭な楽音を発することを可能にしたが、その代償として製造コストの増加と演奏性の低下を招いた。前記製造コストの増加とは、通常のタングドラムならば入手しやすい板材のみによって打面と共鳴胴を作ることが可能なため低コストで製造できる。しかし、ハンクドラムの場合は、最低でも打面と成る部分は曲面が必要なため、市場に流通しているもので当業者が設計したハンクドラムの部材として適当なものが無い場合は、金型から製作するか、若しくは職人よる鍛金、または絞り加工が必要でコストだけではなく加工時間も嵩んでしまう。
【００１２】
また、前記演奏性の低下とは、従来のハンクドラムの打面は曲面になっていることに加え、片持ち梁状の発音体が放射状に配置されているため、ユーザーは発音体を明瞭に発音させるために、打奏する際に腕やマレットを振り下ろす角度を発音体ごとに変化させる必要がある。なので、従来のタングドラムに比べ発音体を打鍵しづらいのと、マレットで鍵を打鍵しようとする際にマレットの柄の部分が意図して打鍵しようとした鍵以外の鍵や打面に当たってしまい、耳障りな音や、思いもよらない演奏ミスが頻発してしまうなどの問題を抱えている。
【００１３】
ハンクドラムは木製のタングドラムよりも余韻が長いのも特徴である。しかし、前記余韻の長さをユーザーの好みに制御するためにはユーザーは打鍵した発音体の余韻の好ましいところで手、またはマレットなどで、打鍵した発音体を押さえなければならない。そのため次の打鍵が遅れてしまうなどの問題が出てくる。そこでヴィブラフォンなどの足で操作するダンパー機構と似たような止音機構をハンクドラムに取り入れれば、余韻の制御が簡便になり操作性が改善する。がしかし、ハンクドラムの打面と発音体は曲面な事に加え、発音体の配置が不規則になるため、ダンパーフェルトを各発音体に同じ力で押し付けるためには複雑な機構と調整が必要になりコストが嵩んでしまう。
【００１４】
またさらに、一般に楽器はコストの削減や独自の音色作りのために、共鳴体とは異なる材料から成る発音体を設ける場合がある、しかし、タングドラムの発音体と共鳴体を異なる材料から構成すると、上手く発音体を振動させ発音させることが困難な場合あった。これは例えば、木材や樹脂などから成る厚さ５ｍｍの箱型の空洞体である共鳴体に、同じ厚みをもつ炭素鋼から成る片持ち梁状の発音体を、締結部材により取り外し可能に設ける場合、発音体を打鍵すると共鳴体を直接叩いているかのような音しかしない。ただし、炭素鋼から成る発音体の厚みを約０．５ｍｍ以下にしたり、共鳴体の厚みを増したり、または共鳴体の材料を硬木にするなど、諸条件を変更することで発音体の振動を損なうことを防ぐことが可能だが、そうすると発音体の音量の低下や、楽器の重量の増加、さらにはコストの増加などの新たな問題が出てきてしまう。
【００１５】
このように片持ち梁状の発音体を有する旋律打楽器は、その構造上奏法が限られ、また構成する材料の大きさと組み合わせが限定されるため音色が単調で、表現力が乏しく、ユーザーと聴衆に飽きられやすいという問題があった。
【課題を解決するための手段】
【００１６】
上記の課題を解決するため、第１の発明は片持ち梁状の発音体に、更に片持ち梁状の発音体である主鍵を設ける。前記主鍵の固定端は前記発音体に設けられており、前記主鍵の先端部の指し示す先が前記発音体の基端部の方を向いていることを特徴とする旋律打楽器の発音体。
【００１７】
第２の発明は第１の発明において、片もち梁状の主鍵の固定端を締結部材によって、片もち梁状の発音体に取付けていることを特徴とする旋律打楽器の発音体。
【００１８】
第３の発明は第１の発明において、片もち梁状の発音体に、貫通したスリット状の穴によって片もち梁状の主鍵を形成することを特徴とする旋律打楽器の発音体。
【００１９】
第４の発明は、第１から第３の発明において、片持ち梁状の発音体の主鍵の内側に、貫通したスリット状の穴によって片持ち梁状の副鍵を形成する。前記副鍵の固定端は前記主鍵に設けられている。前記副鍵の先端部の指し示す先は前記発音体の先端部の方を向いており、また、前記副鍵は前記主鍵の基端部側からはみ出すように設けても良いが、少なくとも前記副鍵の基端部が前記主鍵の内側にあることを特徴とする。
【００２０】
第５の発明は、第１から第４の発明に記載の主鍵、または副鍵の少なくともどちらか一方が発音体の表面より隆起していることを特徴とする。
【００２１】
第６の発明は、第１から第５の発明に記載の発音体を備えたことを特徴とする旋律打楽器
【００２２】
第７の発明は、第６の発明に記載の旋律打楽器に余韻を制御するための止音機構を設けたことを特徴とする旋律打楽器。
【００２３】
第８の発明は、第６と第７の発明に記載の旋律打楽器がタングドラムであることを特徴とする。
【００２４】
第９の発明は、第６と第７の発明に記載の旋律打楽器がカリンバであることを特徴とする。
【００２５】
第１の発明の発音体を旋律打楽器に備えることで、木材よりも固有音響抵抗値の高い材料から成る片持ち梁状の発音体でも、発音体の厚みや、大きさ、または強度を問わず噪音ではなく楽音を発することが可能である。またさらに、従来のように片もち梁状の発音体と共鳴体とが異なる材料から成る場合に、発音体の振動が損なわれるというようなことが無い。
【００２６】
第２の発明によって主鍵は取り外し可能なため、主鍵が故障した際や、主鍵の音高を変えようとする際に、交換するだけでよく直接主鍵を加工する手間を省くことができる。
【００２７】
第３の発明により、主鍵は発音体に貫通したスリット状の穴によって形成されるため、発音体と主鍵が一体成形になるので、発音体と主鍵を別部材で構成する必要が無く製造コストを削減できる。また、打奏の際に、マレットや手が主鍵に引っかからないため操作性と演奏性が向上する。
【００２８】
第４の発明により、一つの発音体の内に二つの異なる音高を持つ鍵を備えることが可能になるので、和音を奏でるのが容易になり、また、本発音体を備える楽器の小型化が可能になり、演奏性と操作性と表現力が向上する。操作方法は主鍵または副鍵どちらか一方の音を明瞭に奏でたい場合は打鍵したい鍵の先端部を叩くことにより可能である。この時、主鍵、または副鍵の先端部を打鍵した際に、打鍵されなかった主鍵または副鍵が僅かに共振共鳴し倍音を豊かにする。また、副鍵と主鍵の和音を奏でるには主鍵と副鍵の両方を必ずしも同時に打撃する必要は無く、主鍵と副鍵の境界部分を打鍵することにより和音を容易に奏でることができる。またさらに、主鍵と副鍵の和音はこの際の音色のみではなく、主鍵と副鍵の音量の差は主鍵の先端から副鍵の先端まで変化するので表現できる和音の音色の幅が豊かである。尚、主鍵と副鍵の音程は協和音が望ましいが、これは何等協和音に限定されるものでなく、あえて主鍵と副鍵の音程を不協和音や、または同じ音高に調律することで効果的な音色を演出することも可能である。
【００２９】
第５の発明により、発音体に備えられた主鍵または副鍵の少なくともどちらか一方を直接摘奏することが可能となるため、発音体の先端部を摘奏するよりも、明瞭に楽音を奏でることが容易になる。
【００３０】
第７の発明により、ユーザーは従来のように手またはマレットなどで打鍵した発音体を抑えることで余韻を制御する必要が無くなるため、打奏の際の動きに無駄が無くなり、すぐに次の動きに移すことができるようになる。前記止音機構とは、ピアノやヴィブラフォンなどに備えられているダンパー機構とも呼ばれるもので、ユーザーが足でダンパーペダルを踏むことにより、発音体の振動を制御することが可能な機構である。
【００３１】
第８の発明により、従来では困難であった木材よりも固有音響抵抗値の高い材料からなるタングドラムでも、噪音ではなく楽音を発することが可能になった、また、奏法も打奏のみではなく、摘奏と擦奏も可能になる。
【００３２】
第９の発明により、指先で摘奏することが困難であった従来より大きく厚みのある発音体を採用しても、摘奏の際に指先に痛みを伴いにくく、また、奏法も指先で摘奏するのみではなく、弦楽器の弓で発音体の先端部短手端面を擦奏することが可能となり、また更に発音体を破損することなく打鍵することも可能となる。
【００３３】
尚、本発明の発音体に適用可能な材料は、なんら金属に限定されるものではなく、金属以外の材料でも同様の効果を発揮する。
【発明の効果】
【００３４】
本発明によって、様々な材料から成るタングドラムの操作性と演奏性と表現力が向上し、また、製造コストを削減することが可能になる。
【図面の簡単な説明】
【００３５】
【図１】本発明の第１の実施の形態を示す正面図である（ａ）。斜視図である（ｂ）。変形例である斜視図（ｃ）。（ｃ）のＡ−Ａ線断面図である（ｄ）。
【図２】本発明の第２の実施の形態を示す正面図である（ａ）。斜視図である（ｂ）。変形例である斜視図（ｃ）。（ｃ）のＢ−Ｂ線断面図である（ｄ）。
【図３】本発明の第３の実施の形態を示す正面図である（ａ）。側面図である（ｂ）。分解図である（ｃ）。変形例である（ｄ）
【図４】本発明の第４の実施の形態を示す正面図である（ａ）。（ａ）のＣ−Ｃ線断面図である（ｂ）。分解図である（ｃ）。変形例である（ｄ）
【図５】本発明の第５の実施の形態を示す正面図である（ａ）。（ａ）のＤ−Ｄ線断面図である（ｂ）。
【図６】本発明の第６の実施の形態を示す正面図である（ａ）。（ａ）のＥ−Ｅ線断面図である（ｂ）。
【図７】本発明の第７の実施の形態を示す正面図である（ａ）。（ａ）のＦ−Ｆ線断面図である（ｂ）。
【図８】本発明の第８の実施の形態を示す斜視図。
【図９】本発明の第８の実施の形態を示す図８のＧ−Ｇ線断面図。
【図１０】本発明の第９の実施の形態を示す斜視図。
【図１１】本発明の第９の実施の形態を分解斜視図。
【図１２】本発明の第９の実施の形態を示す図１０のＨ−Ｈ線断面図。
【図１３】従来例であるカリンバを示した斜視図（ａ）。（ａ）の分解図である（ｂ）。
【発明を実施するための形態】
【００３６】
図１（ａ）は本発明を旋律打楽器の発音体に適用した第１の実施の形態を示す正面図である。図１（ｂ）は図１（ａ）の斜視図である。図（ｃ）は本実施の形態の変形例で、図（ｄ）は図（ｃ）のＡ−Ａ線断面図である。発音体１６ａに描かれている破線による省略線は固定端側であり固定端の固定方法は、接着、ロウ付け、締結部材による固定など、発音体１６ａを楽器本体、または共鳴体に固定できていれば特に問わない。本実施の形態は旋律打楽器の平たい片持ち梁状の発音体１６ａに貫通したスリット状の穴２３によって主鍵２６を形成している。主鍵２６の先端部の指し示す先は発音体１６ａの基端部を向いている。このような発音体において打奏の際は、発音体１６ａの先端部、または、主鍵２６を打鍵することにより、明瞭な楽音を発することができる。また、発音体１６ａの先端部を指先で摘奏することで主鍵２６を振動させ発音させることに加え、発音体１６ａの先端部短手端面を弦楽器の弓などで擦ることで擦奏することも可能である。
【００３７】
発音体１６ａが発する事が可能な楽音は、主に主鍵２６が発する音のみなので主鍵２６を調律する。調律は主に主鍵２６の長さと厚みを変化させることで行うのが好ましい。主鍵２６を形成しているスリット状の穴２３の端部を切削し延長することにより、主鍵２６の長さが長くなり音高が低くなる。また別の手段として、主鍵２６の先端部を削り厚みを薄くすると音高が高くなり、対して基端部を切削して薄くすると音高が高くなる。尚、発音体１６ａの長さを変更することにより主鍵の音高を変化させることも可能である。発音体１６ａを長くすれば主鍵２６の音高が下がり、短くすれば音高が高くなる。ただし、音高の変化は主鍵２６の長さを変化させるよりも僅かなため、主鍵２６の形状を変化させることで調律を施したほうが作業効率がよく、また材料費も少なくすむため好ましい。
【００３８】
図１の（ｃ）と（ｄ）が示す本実施の形態の変形例は、第１の実施の形態の主鍵２６の先端部が発音体１６ａの表面から隆起している。これにより主鍵２６の先端部を直接、指先などで弾いて摘奏することが可能になる。
【００３９】
図２（ａ）は本発明を旋律打楽器の発音体に適用した第２の実施の形態を示す正面図である。図２（ｂ）は図２（ａ）の斜視図である。図（ｃ）は本実施の形態の変形例で、図（ｄ）は図（ｃ）のＢ−Ｂ線断面図である。発音体１６ｂに描かれている破線による省略線は固定端側であり固定端の固定方法は、接着、ロウ付け、締結部材による固定など、発音体１６ｂを楽器本体、または共鳴体に固定できていれば特に問わない。旋律打楽器の平たい片持ち梁状の発音体に貫通したスリット状の穴２３によって主鍵２６を形成している。主鍵２６の先端部の指し示す先は発音体１６ｂの基端部を向いている。
【００４０】
そして更に、主鍵２６に貫通したスリット状の穴２３によって片持ち梁状の副鍵２８を設けている。副鍵２８の先端部の指し示す先は発音体の先端部を向いている。副鍵２８の基端部は主鍵２６の中央から先端部に来ないように設けるのが望ましい。なぜかというと、発音体１６ｂのどこを打鍵しても主鍵と副鍵の音が混ざってしまい単音を発音することが困難になる。尚、図２では副鍵２８の先端部から中央付近まで主鍵２６の内側からはみ出るように設けているが、これは副鍵２８のみを打鍵しようとする際に主鍵２６を誤って打鍵してしまわないようにするためで、これは何等限定されるものではなく、操作性は低下するが副鍵を鍵の内側に収まるように設けても構わない。
【００４１】
このような発音体において打奏の際は、主鍵２６、または副鍵２８を打鍵することにより、明瞭な楽音を得ることができる。また本実施の形態は発音体１６ｂの内側に、主鍵と副鍵の二つの片持ち梁状の鍵を有しているため和音を奏でることが容易である。和音を奏でる際は、発音体１６ｂの先端部を打鍵または摘奏することにより主鍵２６と副鍵２８の和音を奏でることができる。また別の奏法としては、主鍵２６と副鍵２８のちょうど境目辺りを打鍵することにより和音を奏でることができる。尚、主鍵２６と副鍵２８の音程は協和音が望ましいが、これは何等限定されるものではなく、あえて不協和音や、同じ音高に調律することで効果的な音色を奏でることができる。また更に、副鍵を形成する位置はこれに限らず、主鍵の内側に完全に収まっても良い。また、副鍵２８の基端部は主鍵２６の中央から先端部に来ないように
【００４２】
変形例である図２（ｃ）は主鍵２６と副鍵２８が発音体１６ｂの表面から隆起しているため、主鍵２６と副鍵２８の先端部を直接指で弾いて摘奏することが可能である。
【００４３】
図３（ａ）は本発明を旋律打楽器の発音体に適用した第３の実施の形態を示す正面図である。図３（ｂ）は図３（ａ）の側面図である。図３（ｃ）は図３（ａ）の分解図である。図３（ｄ）は本実施の形態の変形例である。発音体１６ｃは片持ち梁状に設けられた基体３０に締結部材４０によって取り外し可能に主鍵２６を固定している。締結部材４０である雄ねじを、主鍵の一端に設けられた締結穴３８、次にスペーサー４１の順番に通し、最後に基体３０の先端部に内側にねじ山を設けた締結螺子穴３９へねじ込むことで固定されている。
【００４４】
スペーサー４１の役割は、主鍵２６を打鍵し振動した際に、主鍵２６が基体３０に触れて雑音を出さないようにするためである。また、主鍵２６の先端部の指し示す方向は基体３０の基端部の方を向いている。これは、主鍵２６の先端部の向きはこの方向が打鍵されたときに余韻が長く望ましいからである。なぜかというと、例えば、このときの主鍵２６の角度が基体３０と重なっているので開き角度を０°として徐々に開いて行くとする。すると主鍵２６を打鍵した際の音高が低くくなっていく、９０°を越えたあたりから余韻が極端に短くなり打鍵の際のアタック音しか聞こえなくなってしまう。
【００４５】
奏法は打奏はもちろん、主鍵２６の先端部を摘奏することが可能である。また、本実施形態は主鍵２６をとり外すことが可能なため、破損や音高を変更する際に主鍵２６を交換することが可能である。尚、固定方法は雄ねじだけに限らず、基体３０と主鍵２６とスペーサー４１を接着、ロウ付けしても構わない。
【００４６】
変形例である図３（ｄ）は主鍵２６に設けられた締結穴３８を、主鍵２６の長手方向に延ばし長穴にしたものである。これにより、主鍵２６を基体３０に固定する際に、主鍵２６の締結部材４０を締結する位置を選択することができる。主鍵２６の先端部から締結部材４０までの長さが長くなれば音高は下がり、短くなれば音高は上がるため、簡便に調律を行うことができる。
【００４７】
図４（ａ）は本発明を旋律打楽器の発音体に適用した第４の実施の形態を示す正面図である。図４（ｂ）は図２（ａ）のＣ−Ｃ線断面図である。図４（ｃ）は図４（ａ）の分解図である。図（ｄ）は本実施の形態の変形例である。本実施の形態の発音体１６ｄは、第３の実施の形態の発音体１６ｄの主鍵２６に、貫通したスリット状の穴２３によって片持ち梁状の副鍵２８を形成したものである。副鍵２８の先端部の指し示す先は主鍵２６の基端部を向いている。主鍵２６の先端部の指し示す先は発音体１６ｄの基端部を向いている。そして更に、主鍵２６に貫通したスリット状の穴２３によって片持ち梁状の副鍵２８を設けている。副鍵２８の先端部の指し示す先は主鍵の固定端を向いている。
【００４８】
本実施の形態は第３の実施の形態に副鍵２８を設けたものである。副鍵２８の基端部は主鍵２６の中央から先端部に来ないように設けるのが望ましい。なぜかというと、主鍵全体の強度が下がり撓みやすくなり、発音体１６ｄのどこを打鍵しても主鍵と副鍵の音が混ざってしまい明瞭な楽音を発することが困難になるからである。また、奏法は打奏はもちろん、主鍵２６の先端部を摘奏することが可能で、またさらに主鍵２６の先端部短手端面を弦楽器の弓で擦奏することができる。また、本実施の形態は主鍵２６をとり外すことができるため、破損や音高を変更する際に主鍵２６を交換することが可能である。尚、固定方法は雄ねじだけに限らず、基体３０と主鍵２６とスペーサー４１を接着、ロウ付けしても構わない。
【００４９】
主鍵２６の先端部の指し示す方向は基体３０の基端部の方を向いている。これは主鍵の先端部の向きはこの方向が打鍵されたときに余韻が長く望ましいからである。なぜかというと、例えば、このときの主鍵の角度が基体と重なっているので開き角度を０°として打鍵しながら徐々に開いて行くとする。すると主鍵を打鍵した際の音高が徐々に低くくなっていく、９０°を越えたあたりから余韻が極端に短くなり、打鍵の際のアタック音しか聞こえなくなってしまう。このように主鍵２６が基体３０との開き角度で影響を受けるのに対し副鍵２８の音高と余韻はほとんど変化しない。奏法は打奏はもちろん、主鍵２６の先端部を摘奏することが可能である。また、本実施形態は主鍵をとり外すことが可能なため、破損や音高を変更する際に主鍵を交換することが可能である。尚、固定方法は雄ねじだけに限らず、基体と主鍵とスペーサーを接着、ロウ付けしても構わない。また、主鍵２８を摘奏しやすいように先端部を持ち上げても構わない
【００５０】
変形例である図４（ｄ）は主鍵２６に設けられた締結穴３８が、主鍵２６の長手方向に延ばし長穴にしたものである。主鍵２６を基体３０に固定する際に、主鍵２６の締結部材４０を締結する位置を選択することができる。これにより、主鍵２６の先端部から締結部材４０までの長さが長くなれば音高は下がり、短くなれば音高は上がるため簡便に調律を行うことが可能になる。ただし、この調律方法は副鍵２８の音高は数セントほどしか変化しないため、副鍵２８の調律方法は従来通りに行うのが好ましい。
【００５１】
図５（ａ）は本発明をタングドラムに適用した第５の実施の形態を示す正面図である。図５（ｂ）は図５（ａ）のＤ−Ｄ線断面図である。平らな打面２０に貫通したスリット状の穴２３によって片持ち梁状の複数の発音体１６ｅを形成する。書く発音体１６ｅを形成している穴２３は繋げる事によって打面２０に設けることが可能な発音体の数を増やすことが可能である。尚、これは何等限定されるものではなく、穴２３を繋げずに各発音体を独立させるような形で形成しても構わない。
【００５２】
そして、更に、発音体１６ｅに穴２３によって片持ち梁状の主鍵２６を形成する。主鍵２６の先端部は発音体１６ｅ基端部を向くように形成する。尚、主鍵２６は発音体１６ｅからはみ出しても良いが、少なくとも主鍵２６の基端部が発音体１６ｅの内側にあるのが好ましい。これにより、木材よりも固有音響抵抗値の高い金属、樹脂、繊維強化樹脂、セラミックス、繊維強化セラミックス、ガラス、または繊維強化ガラスなどの材料を用いて楽音を発することが可能な発音体を形成することが可能になる。奏法は主に打奏で、特に主鍵２６を打鍵することにより明瞭な楽音を発することが可能である。
【００５３】
図６（ａ）は本発明をタングドラムに適用した第６の実施の形態を示す正面図である。図６（ｂ）は図６（ａ）のＥ−Ｅ線断面図である。平らな打面２０に貫通したスリット状の穴２３によって片持ち梁状の複数の発音体１６ｆを形成する。各発音体１６ｆを形成している穴２３を繋げる事によって打面２０に設けることが可能な発音体の数を増やすことが可能である。尚、これは何等限定されるものではなく、穴２３を繋げずに各発音体を独立させるような形で形成しても構わない。
【００５４】
そして、発音体１６ｆに穴２３によって片持ち梁状の主鍵２６を形成する。主鍵２６の先端部は発音体１６ｆ基端部を向くように形成する。尚、主鍵２６は発音体１６ｆからはみ出しても良いが、少なくとも主鍵２６の基端部が発音体１６ｆの内側にあるのが好ましい。そして更に、主鍵２６に穴２３によって副鍵２８を形成する。副鍵２８の先端部は発音体１６ｆの先端部を向いており、基端部は主鍵２６の内側に収まっている。副鍵の作用と効果は主に第２の実施の形態で述べたとおりである。これにより従来のタングドラムでは打鍵した際の音色が単調であったが、より豊かな表現が可能となる。尚、発音体は何等このような形状に限らず、第１から第４の実施の形態に示した発音体を採用しても構わない。
【００５５】
図７（ａ）は本発明の第７の実施の形態を示す斜視図である。図７（ｂ）は図７（ａ）のＦ−Ｆ線断面図である。共鳴胴１８に放音孔２４が設けられ、また、片持ち梁状の複数の矩形板状の発音体１６ｇを締結部材４０によって取り外し可能に固定する。発音体１６ｇの一端には締結穴３８と、貫通したスリット状の孔２３によって形成された片持ち梁状の主鍵２６を有している。主権２６の先端部は固定端となる締結穴３８を向いている。発音体１６ｇの共鳴胴１８への固定方法は雄螺子である締結部材４０を締結穴３８に通し、次にスペーサー４１に通し、次に共鳴胴に備えられた締結螺子穴３９にねじ込み片持ち梁状に固定される。発音体の固定位置や方向は特に問わないが、複数の発音体１６ｇの先端部が同じ方向を向き、一定の間隔で並んでいた方が演奏しやすく好ましい。
【００５６】
主鍵２６の先端部は発音体１６ｇの表面より隆起しており、先端部を指で弾いて摘奏しやすくなっている。また摘奏のみではなく、打奏と、発音体１６ｇの先端部を弦楽器の弓などで擦奏することができる。また、発音体１６ｇは取り外し可能に固定されているため、破損した際の補修や、音高を変えたいときに、発音体を交換するだけでよく簡便である。尚、本実施の形態は発音体１６ｇの音を増幅するための共鳴体に共鳴胴を採用しているが、これは何等限定されるものではなく、共鳴板や共鳴管を用いても構わない。共鳴管を使用する場合は。共鳴管の開口部が主鍵の下にくるように設けるのが好ましい。
【００５７】
図８（ａ）は本発明をタングドラムに適用した第７の実施の形態を示す正面図である。図８（ｂ）は図８（ａ）のＧ−Ｇ線断面図である。第５の実施の形態のタングドラムとその内部に従来のヴィブラフォンとほぼ同じ構造のダンパー機構を設けたものでたあるため、従来と同一の部分は以降その説明を適宣省略する。
【００５８】
タングドラムの打面２０に貫通したスリット状の穴２３により片持ち梁状の発音体１６ｈを形成する。そして前記発音体１６ｈに貫通したスリット状の穴２３によって主鍵２６を形成する。主鍵２６の先端部の指し示す先は、発音体１６ｈの基端部の方を向いている。本実施の形態のタングドラムは四隅に四本のロッド型の脚４２が取り付けられており、脚４２の二本に対し一つの下脚４４が、打奏時にユーザーから見て足元の左右外側にくるように設けられている。前記脚４２は伸縮可能でロッド固定ねじ５２によって任意の伸縮長を選択、固定できるので、タングドラムの高さを調節できる。タングドラムを打奏しやすいように打面２０の高さはユーザーの腰上から胸あたりまでの間の高さにするのが好ましい。
【００５９】
左右の下脚４４を繋ぐようにペダルステー４８があり、前記ペダルステーの中間にダンパーペダル４６が取り付けられている。前記ダンパーペダル４６の稼動部分にはペダルロッド５０が取り付けられており、前記ペダルロッド５０にはペダルロッドよりも径の小さいセンターロッド５４がロッド固定螺子５２によって伸縮可能に取り付けられている。前記センターロッド５４はタングドラムの底面１２に備えられたロッド穴２２８を通してタングドラム内部のダンパー受け５６に固定されており、前記ダンパー受５６にはダンパークッション７２を備えたダンパープレート７０が固定されている。前記ダンパークッション７２は、発音体１６ｈの先端部裏側、または主鍵２６の基端部裏側の少なくともどちらか一方に当たるように取り付けるのが好ましい。
【００６０】
前記ダンパープレート７０にはダンパースプリング５８がセンターロッド５４の近くに取り付けられており、ダンパースプリング５８はスプリング調節雌螺子６０とスプリング調節雄螺子６２によって底面２２に取付られている。前記ダンパースプリング調節雄螺子６２は底面２２に備えられた調節螺子穴８２を通してタングドラム内部に入り、ダンパースプリング５８の中心を通ってダンパープレート７０へねじ込み固定されている。また、前記ダンパースプリング調節雌螺子６０と底面２２の間にはダンパー雌螺子フェルト７８が挟まれている。また、ダンパープレート７０のブレを少なくするために両端にはダンパーアーム７４が取り付けられており、前記ダンパーアーム７０はダンパーアーム受け具７６によってタングドラム内部に保持れている。
【００６１】
このような構造から成るタングドラムはユーザーが足でダンパーペダル４６を踏むことにより、ダンパースプリング５８によって常時一定の力で押し付けられているダンパープレート７０が下がりダンパーフェルト７８が発音体から離れようるになっている。前記一定の力をここでは以降ダンパーの効きとする、スプリング調節雌螺子５８をタングドラムの底面２２側からみて、反時計回りに回すとダンパーの効きが強くなり、対してスプリング調節雌螺子を時計回りに回すとダンパーの効きが弱くなる。ダンパーの効きが強過ぎると主鍵２６を打鍵しても全く発音しなくなり。また、ダンパーの効きが弱すぎると余韻を短くする事ができない。ダンパーフェルト７２が発音体１６ｈの基端部に押し付けられているときは、主鍵２６を打鍵した際の余韻は短く、対して、ダンパーペダル４６をユーザーが踏むことによりダンパーフェルト７２が発音体１６ｈから離れ余韻が長くなる。これにより手を使わずに余韻のコントロールが可能になる。
【００６２】
尚、第３の実施の形態のように副鍵を設ける場合は、ダンパーフェルト７２を副鍵の基端部にも当たるようにダンパープレート７０に増設、または調整することで、主鍵と副鍵の両方の余韻をコントロールすることが容易になる。
【００６３】
図９（ａ）は本発明は第８の実施の形態を示す正面図である。図９（ｂ）は図９（ａ）のＧ−Ｇ線断面図である。第７の実施の形態の旋律打楽器とその内部に従来のヴィラフォンとほぼ同じ構造のダンパー機構を設けたものでたあるため、従来と同一の部分は以降その説明を適宣省略する。
【００６４】
共鳴胴の共鳴胴１８に、締結部材４０により片持ち梁状の発音体１６ｉを固定する。そして前記発音体１６ｉに貫通したスリット状の穴２３によって主鍵２６を形成する。主鍵２６の先端部は摘奏しやすいように隆起しており、主鍵２６の先端部の指し示す先は、発音体１６ｈの基端部の方を向いている。共鳴胴にはダンパー孔６６が設けられ、そこからダンパーフェルト７２が共鳴胴内部から出て、固定された発音体１６ｉの先端部、または、主鍵２６の基端部の少なくともどちらか一方に触れている。本実施形態のタングドラムは四隅に四本のロッド型の脚４２が取り付けられており、脚４２の二本に対し一つの下脚４４が、打奏時にユーザーから見て足元の左右外側にくるように設けられている。前記脚４２は伸縮可能でロッド固定ねじ５２によって任意の伸縮長を選択、固定できるので、旋律打楽器の高さを調節できる。旋律打楽器の高さは打奏しやすいように打面をユーザーの腰上から胸あたりまでの間の高さにするのが好ましい。
【００６５】
左右の下脚４４を繋ぐようにペダルステー４８があり、前記ペダルステーの中間にダンパーペダル４６が取り付けられている。前記ダンパーペダル４６の稼動部分にはペダルロッド５０が取り付けられており、前記ペダルロッド５０にはペダルロッドよりも径の小さいセンターロッド５４がロッド固定螺子５２によって伸縮可能に取り付けられている。前記センターロッド５４は共鳴胴１８の底面１２に備えられたロッド穴８０を通じて旋律打楽器内部のダンパー受け５６に固定されており、前記ダンパー受５６にはダンパークッション７２を備えたダンパープレート７０が固定されている。
【００６６】
前記ダンパープレート７０にはダンパースプリング５８がセンターロッド５４の近くに取り付けられており、ダンパースプリング５８はスプリング調節雌螺子６０とスプリング調節雄螺子６２によって底面２２に取付られている。前記ダンパースプリング調節雄螺子６２は底面２２に備えられた調節螺子穴８２を通して共鳴胴１８内部に入り、ダンパースプリング５８の中心を通ってダンパープレート７０へねじ込み固定されている。また、前記ダンパースプリング調節雌螺子６０と底面２２の間にはダンパー雌螺子フェルト７８が挟まれている。また、ダンパープレート７０のブレを少なくするために両端にはダンパーアーム７４が取り付けられており、前記ダンパーアーム７０はダンパーアーム受け具７６によって共鳴胴１８内部に保持れている。
【００６７】
このような構造から成る旋律打楽器はユーザーが足でダンパーペダル４６を踏むことにより、ダンパースプリング５８によって常時一定の力で押し付けられているダンパープレート７０が下がりダンパーフェルト７２が発音体１６ｉから離れようるになっている。前記一定の力をここでは以降ダンパーの効きとする、スプリング調節雌螺子５８を共鳴胴１８の底面２２側からみて、反時計回りに回すとダンパーの効きが強くなり、対してスプリング調節雌螺子を時計回りに回すとダンパーの効きが弱くなる。ダンパーの効きが強過ぎると主鍵２６を打鍵しても全く発音しなくなり。また、ダンパーの効きが弱すぎると余韻を短くする事ができない。ダンパーフェルト７２が発音体１６ｉに押し付けられているときは、主鍵２６を打鍵した際の余韻は短く、対して、ダンパーペダル４６をユーザーが踏むことによりダンパーフェルト７２が発音体１６ｉから離れ余韻が長くなる。これにより手を使わずに余韻のコントロールが可能になる事に加え、摘奏と擦奏も可能になり今までに無い操作性と演奏性と表現が可能になった旋律打楽器を提供することができる。
【００６８】
尚、第３の実施の形態のように副鍵を設ける場合は、ダンパーフェルト７２を副鍵の基端部にも当たるようにダンパープレート７０に増設することで、主鍵と副鍵の両方の余韻をコントロールすることが容易になる。また、本実施の形態は発音体１６ｉの音を増幅するための共鳴体に共鳴胴を採用しているが、これは何等限定されるものではなく、共鳴板や共鳴管を用いても構わない。共鳴管を使用する場合は。共鳴管の開口部が主鍵の下にくるように設けるのが好ましい。またさらに、発音体１６ｉの形状は何等このような形状に限らず、第１から第４の実施の形態に示した発音体を採用しても構わない。
【００６９】
上記した各実施の形態の図では、タングドラムの形状は長方体であるが、これは何等長方体に限定されるものでは無く、発音体を設ける打面が平らであれば、その他の形状でも構わない。また、共鳴体は空洞共鳴を促す共鳴胴の形態を示しているが、これも何等限定されるものではなく、共鳴体として共鳴板や共鳴管などを採用しても構わない。
【００７０】
上記した各実施の形態の発音体の材料は何等、金属、繊維強化樹脂、セラミックス、繊維強化セラミックス、ガラス、または繊維強化ガラスなどの固有音響抵抗の高い材料に限定されるわけではなく、木材や樹脂などの金属などに比べ、固有音響抵抗が低く余韻の短い材料から成る発音体でも楽音を発することが可能である。ただし木材や樹脂などを本発明の発音体の材料として採用する場合は、第７と第９の実施の形態のように発音体と共鳴体が別々の部材で構成されている旋律打楽器に採用するのが好ましい。
【符号の説明】
【００７１】
１２  押さえ      
１４  ブリッジ      
１６ａ、１６ｂ、１６ｃ、１６ｄ、１６ｅ、１６ｆ、１６ｇ、１６ｈ、１６ｉ  発音体      
１８  共鳴胴      
２０  打面      
２２  底面      
２３  スリット状の穴      
２４  放音孔      
２６  主鍵      
２８  副鍵      
３０  基体      
３８  締結穴      
３９  締結螺子穴    
４０  締結部材      
４１  スペーサー      
４２  脚      
４４  下脚      
４６  ダンパーペダル      
４８  ペダルステー      
５０  ペダルロッド      
５２  ロッド固定ねじ      
５４  センターロッド      
５６  ダンパー受け      
５８  ダンパースプリング      
６０  スプリング調節雌ねじ      
６２  スプリング調節雄ねじ
６４  放音孔        
６６  ダンパー孔
６８  スプリング調節雄ねじ      
７０  ダンパープレート      
７２  ダンパーフェルト      
７４  ダンパーアーム      
７６  ダンパーアーム受け具      
７８  ダンパー雌螺子フェルト      
８０  ロッド穴      
８２  調整螺子穴  
【図１】
2016057413.tif 000003
【図２】
2016057413.tif 000004
【図３】
2016057413.tif 000005
【図４】
2016057413.tif 000006
【図５】
2016057413.tif 000007
【図６】
2016057413.tif 000008
【図７】
2016057413.tif 000009
【図８】
2016057413.tif 000010
【図９】
2016057413.tif 000011
【図１０】
2016057413.tif 000012
【図１１】
2016057413.tif 000013
【図１２】
2016057413.tif 000014
【図１３】
2016057413.tif 000015